(57)【特許請求の範囲】
【請求項１】
スラブ筋が埋設され、複数の柱で支持されるフラットプレートのせん断補強構造であって、
上記フラットプレートに、上記柱の周方向に沿って柱面から所定幅寸法で第１せん断補強領域を形成するとともに、上記柱より隣接する他の柱に向けて、周辺のスラブ筋よりも高剛性のスラブ筋を配筋し、かつ上記第１せん断補強領域の境界から所定長さ寸法まで帯状の第２せん断補強領域を形成し、
上記第１および第２せん断補強領域に配筋される複数のせん断補強筋が、上記高剛性のスラブ筋の下端筋に下方から係合するフック部を下部に、該高剛性のスラブ筋の上端筋に掛けられる平坦部を上部に有するほぼコ字状に形成され、
これらコ字状のせん断補強筋は、上記高剛性のスラブ筋の長さ方向の同じ位置に柱面に沿って配列されて互いに隣接するもの同士が互いに直接接合されることなくかつそれら間に閉鎖形式の配筋を形成するように、上記柱の中央を境にして当該中央に向かって互いに向かい合うように該柱の幅方向左側および右側それぞれで同じ向きに揃えて配筋されることを特徴とするフラットプレートのせん断補強構造。
【請求項２】
前記第１せん断補強領域は、前記柱が隅角部を有する場合に、当該隅角部を除いて形成されることを特徴とする請求項１に記載のフラットプレートのせん断補強構造。
【発明の詳細な説明】
【技術分野】
【０００１】
本発明は、パンチング破壊に対し合理的なせん断補強を確保し、かつ配筋作業の施工性改善も達成することが可能でコストダウンを達成し得るフラットプレートのせん断補強構造に関する。
【背景技術】
【０００２】
梁型のないフラットプレートを複数の柱で支持するフラットプレート架構を用いたＲＣ建築物では、地震力を受けた際、フラットプレートが柱周りでパンチング破壊を起こしやすいという問題がある。このパンチング破壊はよく知られているように、地震力を受ける方向に対し柱の前後面の面外せん断破壊と柱の側面のねじれ破壊とが複合して生じる。柱周りのせん断強度、具体的にはせん断補強に有効な鉄筋量が少ないと、脆性的な破壊を呈するこのパンチング破壊によって、変形性能が低下するおそれがある。
【０００３】
そこで従来にあっては、例えば特許文献１に開示されているように、特有の形態のせん断補強筋を柱の周辺に配筋して鉄筋量を増やすようにし、これによって上向きと下向きの力に対して抵抗させることで、パンチング破壊の発生を防止するようにしている。特に当該特許文献１にあっては、この種のせん断補強筋は、単に「柱の周辺に配筋される」としていた。また、特許文献２〜３に示されるように、柱内部もしくは柱面位置から隣接する柱へ向かって相当の長さ範囲で、各種形態のせん断補強筋を配筋して鉄筋量を増やすようにした構造も提案されていた。
【特許文献１】特開２００１−１０７５０９号公報
【特許文献２】特開２００１−２０４３１号公報
【特許文献３】特開２００１−２６２７５９号公報
【発明の開示】
【発明が解決しようとする課題】
【０００４】
ところで、以上の背景技術にあっては、必ずしもパンチング破壊に対して有効なせん断補強範囲もしくは領域が見出されているわけではなく、単に柱周りの広がりに沿って、もしくはフラットプレートの広がりに沿って隣接する他の柱などへ向かって、せん断補強筋を配筋し、これによって鉄筋量を増やしているに過ぎず、使用鋼材量がいたずらに増加してしまうという課題があった。また配筋量の増加により配筋が錯綜し、施工性も良くないという課題があった。
【０００５】
本発明は上記従来の課題に鑑みて創案されたものであって、パンチング破壊に対し合理的なせん断補強を確保し、かつ配筋作業の施工性改善も達成することが可能でコストダウンを達成し得るフラットプレートのせん断補強構造を提供することを目的とする。
【課題を解決するための手段】
【０００６】
本発明にかかるフラットプレートのせん断補強構造は、スラブ筋が埋設され、複数の柱で支持されるフラットプレートのせん断補強構造であって、上記フラットプレートに、上記柱の周方向に沿って柱面から所定幅寸法で第１せん断補強領域を形成するとともに、上記柱より隣接する他の柱に向けて、周辺のスラブ筋よりも高剛性のスラブ筋を配筋し、かつ上記第１せん断補強領域の境界から所定長さ寸法まで帯状の第２せん断補強領域を形成し、上記第１および第２せん断補強領域に配筋される複数のせん断補強筋が、上記高剛性のスラブ筋の下端筋に下方から係合するフック部を下部に、該高剛性のスラブ筋の上端筋に掛けられる平坦部を上部に有するほぼコ字状に形成され、これらコ字状のせん断補強筋は、上記高剛性のスラブ筋の長さ方向の同じ位置に柱面に沿って配列されて互いに隣接するもの同士が互いに直接接合されることなくかつそれら間に閉鎖形式の配筋を形成するように、上記柱の中央を境にして当該中央に向かって互いに向かい合うように該柱の幅方向左側および右側それぞれで同じ向きに揃えて配筋されることを特徴とする。
【００１０】
前記第１せん断補強領域は、前記柱が隅角部を有する場合に、当該隅角部を除いて形成されることを特徴とする。
【発明の効果】
【００１１】
本発明にかかるフラットプレートのせん断補強構造にあっては、パンチング破壊に対し合理的なせん断補強を確保でき、かつ配筋作業の施工性改善も達成することができてコストダウンを達成することができる。また、コ字状のせん断補強筋を、柱の中央に向かって互いに向かい合うように、柱の幅方向左側および右側それぞれで同じ向きに配筋するようにしたので、例えば交互に向きを変えると、閉鎖形式の配筋形状が大きくなってしまったり、せん断補強筋同士の間に大きな隙間ができてしまう不具合があるとともに、すべて同じ向きに向けて並べると、柱の幅方向左右で配筋が不均一な状態になってしまう不具合があることに比べて、柱を中心にその左右方向で均一に配筋でき、また小さな閉鎖形式の配筋であってかつほぼ隙間のない一連のせん断補強筋の配列によって良好にせん断補強することができる。
【発明を実施するための最良の形態】
【００１２】
以下に、本発明にかかるフラットプレートのせん断補強構造の好適な一実施形態を、添付図面を参照して詳細に説明する。本実施形態にかかるフラットプレートのせん断補強構造は基本的には図１から図６に示すように、スラブ筋１が埋設され、複数の柱２，３で支持されるフラットプレート４のせん断補強構造であって、フラットプレート４に、柱２，３の周方向に沿って柱面２ａ，３ａから所定幅寸法Ｗで第１せん断補強領域Ｃを形成するとともに、柱２より隣接する他の柱３に向けて、周辺のスラブ筋２よりも高剛性のスラブ筋５を配筋し、かつ第１せん断補強領域Ｃの境界Ｃａから所定長さ寸法Ｌまで帯状の第２せん断補強領域Ｄを形成して構成される。
【００１３】
フラットプレート架構は、ＲＣ造建物の複数の柱２，３で、梁型のないフラットプレート４を支持することによって構成される。柱２，３は通常、互いに適宜間隔を隔てて碁盤の目状に配置される。これら柱２，３の柱主筋６は、フラットプレート４を上下方向に貫通して配筋される。
【００１４】
フラットプレート４内には、スラブ筋１，５が埋設される。スラブ筋１，５は図１、図４および図５に示されるように、フラットプレート４の縦方向（以下、Ｙ方向という）に互いに適宜ピッチを隔てて配列されるＹ方向の上端筋１ａ，５ａ、フラットプレート４の横方向（以下、Ｘ方向という）に互いに適宜ピッチを隔てて配列されるＸ方向の上端筋１ｂ，５ｂ、Ｙ方向の上端筋１ａ，５ａ下方に当該上端筋１ａ，５ａに揃えて配列されて各上端筋１ａ，５ａと上下一対をなすＹ方向の下端筋１ｃ，５ｃ、並びにＸ方向の上端筋１ｂ，５ｂ下方に当該上端筋１ｂ，５ｂに揃えて配列されて各上端筋１ｂ，５ｂと上下一対をなすＸ方向の下端筋１ｄ，５ｄから構成される。そしてスラブ筋１，５は例えば、Ｘ方向の上下一対の上端筋１ｂ，５ｂと下端筋１ｄ，５ｄとの間にＹ方向の上下一対の上端筋１ａ，５ａと下端筋１ｃ，５ｃとを挟み込んだ状態で、Ｙ方向およびＸ方向の上端筋１ａ，１ｂ，５ａ，５ｂ同士、そしてまた下端筋１ｃ，１ｄ，５ｃ，５ｄ同士が互いに縦横に交差するように交錯して配筋されて構成される。
【００１５】
また、柱２，３位置に配筋されるスラブ筋５と柱主筋６との取り合いについては、Ｙ方向およびＸ方向の上端筋５ａ，５ｂと下端筋５ｃ，５ｄはともに、柱主筋６間に挿通され、柱２，３を前後方向および左右方向に貫通して配筋される。図１および図２にあっては、建物内部の柱２と側柱３との間のフラットプレート４が部分的に示されている。側柱３が配列される建物の周囲には、梁主筋７が配筋されて側柱３同士を繋ぐ梁８が設けられ、フラットプレート４の周縁部分はこれら梁８と側柱３とによって支持される。スラブ筋１，５は、梁主筋７との関係では、当該梁主筋７と上下に交錯するように配筋される。フラットプレート４は、現場打ちであっても、プレキャスト製であっても良い。
【００１６】
このようにして構築されるフラットプレート４には、第１せん断補強領域Ｃと第２せん断補強領域Ｄとが形成される。第１せん断補強領域Ｃは、柱２，３の周方向に沿って柱面２ａ，３ａから所定幅寸法Ｗの広がりで形成され、その外周縁が境界Ｃａとなる。具体的には、建物内部の柱２であれば、第１せん断補強領域Ｃは、柱２を取り囲むようにその周りに環状に形成される。側柱３であれば、梁８を避けた範囲で、その周りに沿って第１せん断補強領域Ｃが形成される。図示例にあっては、側柱３には、建物内方に面する柱面３ａに沿ってのみ、第１せん断補強領域Ｃが形成されている。
【００１７】
第２せん断補強領域Ｄは、柱２から隣接する他の柱３に向けて、第１せん断補強領域Ｃの境界Ｃａから所定長さ寸法Ｌまで帯状に形成される。柱２，３は通常、上述したように碁盤の目状に配置されるので、建物内部の柱２であれば、第２せん断補強領域Ｄは、隣接する前後左右の柱に向かって、十字状に形成される。他の柱が斜め方向に位置する場合には、第２せん断補強領域Ｄは、当該他の柱に向けて斜めに形成される。
【００１８】
スラブ筋１，５に関し、第２せん断補強領域Ｄが設定される隣接する柱２，３同士間では、それ以外の周辺のスラブ筋１よりも高剛性のスラブ筋５が配筋される。従って、スラブ筋１，５のうち、柱主筋６間に挿通されて柱２，３を貫通するスラブ筋５は、周辺の他のスラブ筋１よりも高剛性のものが採用される。図示例にあっては、柱２，３を貫通するスラブ筋５に加えて、最も柱面２ａ，３ａに近接するスラブ筋にも、高剛性のスラブ筋５が用いられ、柱２，３周りにはその直近に高剛性のスラブ筋５が配筋されている。高剛性のスラブ筋５としては、それ以外の周辺のスラブ筋１よりも例えば、鉄筋径の太いものや材質として高強度のものが採用される。
【００１９】
次に、これらせん断補強領域Ｃ，Ｄに配筋されるせん断補強筋９について説明する。せん断補強筋９は図３に示すように、フラットプレート４の厚さ方向に延びる本体部９ａと、本体部９ａの上部にこれより水平方向にほぼ９０°折り曲げられて形成された平坦部９ｂと、本体部９ａの下部にこれより平坦部９ｂと同じ側であってかつ斜め上向きに折り曲げられて形成されたフック部９ｃとから、ほぼコ字状に形成される。フック部９ｃの曲げ上げ傾斜角度は、本体部９ａに対して例えば４５°に設定される。
【００２０】
せん断補強筋９はスラブ筋、具体的には高剛性のスラブ筋５の上端筋５ｂおよび下端筋５ｄに対し、それらの一方側から他方側へ抜け出すように差し込まれる。この際、フック部９ｃは、交差する下端筋５ｃ，５ｄ同士のうち、下側に位置するものに対して下方から係合され、また平坦部９ｂは、交差する上端筋５ａ，５ｂ同士のうち、上側に位置するものに対して上方から掛けられる。これにより、せん断補強筋９によるスラブ筋５の拘束を十分に確保することができ、せん断強度を十分に増強することができる。これらフック部９ｃおよび平坦部９ｂの、本体部９ａからの突出寸法は、スラブ筋５の配筋ピッチよりも短く設定される。そしてこのようなせん断補強筋９は、各せん断補強領域Ｃ，Ｄ内で各スラブ筋５それぞれに対し、その長さ方向に適宜ピッチで複数配筋される。
【００２１】
図４には、第１せん断補強領域Ｃにおけるせん断補強筋９の配筋状態が示されている。せん断補強筋９は、コ字状に開いた側が柱２，３の中央に向く向きを基準として、柱２，３の中央を境にして、柱２，３の幅方向左側のものがすべて左向きに、また幅方向右側のものがすべて右向きに、それぞれ向きを揃えて配筋される。従って、これらせん断補強筋９は、各スラブ筋５の長さ方向に向かって同じ位置に配筋されるものが、柱２，３の中央に向かって互いに向かい合うように配列される。せん断補強筋９は、基本的には高剛性のスラブ筋５に配筋されるが、図示例にあっては、当該高剛性のスラブ筋５の外側に配筋されるスラブ筋１にも、同様に配筋されている。図４から理解されるように、柱面２ａ，３ａに沿って配列されて互いに隣接することとなるせん断補強筋９同士は、互いに直接接合されることはなく、かつそれら間に閉鎖形式の配筋を形成するようになっている。
【００２２】
図５には、第２せん断補強領域Ｄにおけるせん断補強筋９の配筋状態が示されている。配筋形式は、第１せん断補強領域Ｃと同様である一方で、柱２，３の中央部を貫通するスラブ筋５や柱面２ａ，３ａ直近に配筋されるスラブ筋５には配筋されず、これら間の柱２，３の左寄りもしくは右寄りを貫通するスラブ筋５に配筋される。
【００２３】
以上のように構成された本実施形態にかかるフラットプレート４のせん断補強構造を検証するために、フラットプレート４の試験体に対し、パンチング破壊の発生メカニズムに対応する加力試験を実施した。具体的には、第１せん断補強領域Ｃの面積に対し、当該第１せん断補強領域Ｃのせん断補強筋９の断面積を０．４４％とし、また第２せん断補強領域Ｄの面積に対し、当該第２せん断補強領域Ｄのせん断補強筋９の断面積を０．２％とした場合、図６に示すように、サイクリックな繰り返し荷重Ｑｓにより、面外変形量Ｒ＝＋５×１０-3ｒａｄ以降、まず柱幅内の柱芯位置でフラットプレート危険断面位置でのスラブ筋が降伏し、面外変形量Ｒ＝＋１０×１０-3ｒａｄまでに柱側面まで順次降伏した。その後、面外変形量Ｒ＝＋１５×１０-3ｒａｄまでに全ての高剛性のスラブ筋が降伏して最大荷重（Ｑｓｍａｘ）近傍まで荷重が上昇した。最大荷重後は急激な荷重低下は見られなかった。
【００２４】
上記構造を備えた場合、第１せん断補強領域Ｃの幅寸法Ｗをフラットプレート４の厚さＴ相当とし、第２せん断補強領域Ｄの長さ寸法Ｌを柱間スパンＳの１／４程度とすることで、有効なせん断補強性能を確保し得る。ここに、柱間スパンＳとは、隣接する柱２，３の互いに向かい合う柱面２ａ，３ａ間の寸法をいう。
【００２５】
さらに、第１せん断補強領域Ｃは、隅角部を有する柱２，３、すなわち平断面多角形状の柱の場合、隅角部を除いて形成するようにしても良い。すなわち、第１せん断補強領域Ｃは、柱２，３周りに環状ではなく、各柱面２ａ，３ａの幅寸法以内で形成するようにしても良い。パンチング破壊は上述したように、地震力を受ける方向に対し柱の前後面の面外せん断破壊と柱の側面のねじれ破壊とが複合して生じるので、例えば平断面矩形状の柱２，３であれば、前後および左右の柱面２ａ，３ａを基準として当該柱面２ａ，３ａの幅相当の範囲で十字状に第１および第２せん断補強領域Ｃ，Ｄを確保すればよく、当該十字状の領域に挟まれて柱２，３の隅角部から広がる区域については、パンチング破壊に対してのせん断強度増強の有効性は小さいことから、当該区域を第１せん断補強領域Ｃから除外することで、せん断補強筋９の量やその施工手間を省くことができ、コストダウンを図ることができる。
【００２６】
次に、本実施形態のフラットプレート４のせん断補強構造の作用について説明する。フラットプレート架構の施工にあっては、フラットプレート４がプレキャスト製の場合には、工場あるいは現場近隣において、高剛性のものを含むスラブ筋１，５を型枠内の所定位置に配筋し、さらに第１および第２せん断補強領域Ｃ，Ｄにせん断補強筋９を配筋する。スラブ筋１，５は、隣接する他のフラットプレートとの取り合い部、また柱主筋６や梁主筋７との取り合い部が露出される。せん断補強筋９は、フック部９ｃを最下方の下端筋５ｄに係合した上で、平坦部９ｂを最上方の上端筋５ｂに掛けることのみで配筋を完了することができる。せん断補強筋９は、第１および第２せん断補強領域Ｃ，Ｄ内で、各スラブ筋５に対し、定められたピッチで配筋する。
【００２７】
このようにして配筋作業を完了したら、型枠内にコンクリート打設し、その後型枠から脱型する。これにより、第１および第２せん断補強領域Ｃ，Ｄを備え、かつ柱２，３や梁８、隣接するフラットプレートとの取り合い部を有するプレキャスト製や半プレキャスト製のフラットプレート４を完成することができる。そしてこのフラットプレート４を建物内部の所定位置に搬入して、柱２，３などの上に設置すればよい。
【００２８】
現場打ちの場合には、所定位置に設置した型枠内に同様にしてスラブ筋１，５やせん断補強筋９を配筋した上で、コンクリートを打設し、これにより柱２，３などとの接合を確保して、その後型枠を脱型すればよい。以上により、現場打ち、プレキャスト製のいずれであっても、第１せん断補強領域Ｃと第２せん断補強領域Ｄとを形成したフラットプレート４を備えたＲＣ建物を構築することができる。
【００２９】
ところで、本実施形態にかかるフラットプレート４のせん断補強構造にあっては、フラットプレート４に、柱２，３の周方向に沿って柱面２ａ，３ａから所定幅寸法Ｗで第１せん断補強領域Ｃを形成するとともに、柱２，３より隣接する他の柱に向けて、周辺のスラブ筋１よりも高剛性のスラブ筋５を配筋し、かつ第１せん断補強領域Ｃの境界Ｃａから所定長さ寸法Ｌまで帯状の第２せん断補強領域Ｄを形成するようにしたので、第１せん断補強領域Ｃと第２せん断補強領域Ｄとの組み合わせにより、そしてまた柱２，３から隣接する他の柱に向けて配筋される高剛性のスラブ筋５の作用も相俟って、柱２，３の前後面の面外せん断破壊と柱の側面のねじれ破壊とが複合して生じるパンチング破壊に対し合理的にせん断強度を向上することができ、また変形能力も向上することができて、靭性に優れたフラットプレート４を構築することができる。
【００３０】
そしてこのように補強範囲を適切にかつ小規模に特定することにより、せん断強度を増強するせん断補強筋９の配筋を低減して使用鋼材量を削減でき、また配筋の錯綜を軽減して配筋作業の施工性も改善することができて、コストダウンを達成することができる。柱２，３間に配筋した高剛性のスラブ筋５により、柱２，３間に形成される第２せん断補強領域Ｄの靭性を保証することができる。また、組み合わせられて相互にせん断強度を増強する第１および第２せん断補強領域Ｃ，Ｄに関し、いずれか一方のせん断補強筋量を増やすことで他方のせん断補強筋量を減らすことが可能で、例えば、第１せん断補強領域Ｃの配筋を減らすようにすれば、柱２，３周りの鉄筋の錯綜の軽減やコンクリートの充填性を考慮したせん断補強筋の配筋計画を行うことができ、コンクリート充填作業や配筋作業の作業性の更なる向上を図ることができる。
【００３１】
第１せん断補強領域Ｃの所定幅寸法Ｗを、フラットプレート４の厚さＴ相当の幅寸法とし、第２せん断補強領域Ｄの所定長さ寸法Ｌを、柱２，３と隣接する他の柱との間の柱間スパンＳの１／４程度の長さ寸法としていて、フラットプレート４に対し過不足のないせん断強度を適切に確保することができる。また、せん断補強筋９を、下端筋５ｄに下方から係合するフック部９ｃを下部に、上端筋５ｂに掛けられる平坦部９ｂを上部に有するほぼコ字状に形成したので、単にスラブ筋５に引っ掛けるだけで配筋作業を完了でき、いわゆる閉鎖型のせん断補強筋に比べて、作業を簡単化でき、施工性を改善することができる。
【００３２】
また、コ字状のせん断補強筋９を、柱２，３の中央に向かって互いに向かい合うように、柱２，３の幅方向左側および右側それぞれで同じ向きに配筋するようにしたので、例えば交互に向きを変えると、閉鎖形式の配筋形状が大きくなってしまったり、せん断補強筋同士の間に大きな隙間ができてしまう不具合があるとともに、すべて同じ向きに向けて並べると、柱の幅方向左右で配筋が不均一な状態になってしまう不具合があることに比べて、柱２，３を中心にその左右方向で均一に配筋でき、また小さな閉鎖形式の配筋であってかつほぼ隙間のない一連のせん断補強筋９の配列によって良好にせん断補強することができる。
【００３３】
さらに、第１せん断補強領域Ｃでは、せん断補強筋９の断面積を当該第１せん断補強領域Ｃの面積に対し、０．４５％程度に設定し、第２せん断補強領域Ｄでは、せん断補強筋９の断面積を当該第２せん断補強領域Ｄの面積に対し、０．２％程度に設定するようにして、基本的にせん断力が集中しそれに伴ってひずみが大きくなる柱２，３周囲の第１せん断補強領域Ｃのせん断強度を高く設定するとともに、柱２，３から離れた位置となる第２せん断補強領域Ｄにより、第１せん断補強領域Ｃに作用するせん断力の一部を合理的に負担させることができ、これらによって配筋量を削減し、施工性を改善し、そしてまたこれらによりコストダウンを達成しつつ、必要なせん断強度を十分に確保して、パンチング破壊の発生を適切に防止することができる。
【００３４】
第１せん断補強領域Ｃにおけるせん断補強筋９の配筋状態については、少なくともせん断補強筋９でスラブ筋５を拘束することができればよく、図４に示したものに代えて、図７に示すような配筋としてもよい。図示した正面視（ａ）、平面視（ｂ）、並びに側面視（ｃ）では、Ｘ方向の上端筋５ｂおよび下端筋５ｄの間にＹ方向の上端筋５ａおよび下端筋５ｃを交差させた配筋であって、いずれかの柱面２ｅに沿って配筋されるせん断補強筋９は、コ字状の向きが当該柱面２ｅに沿うようにして適宜な向きで各スラブ筋５に配筋される一方、この柱面２ｅと直交する柱面２ｆに対しては、コ字状の向きが当該柱面２ｆに向くようにして各スラブ筋５に配筋されている。
【００３５】
上記実施形態にあっては、せん断補強筋９に関し、フック部９ｃおよび平坦部９ｂの、本体部９ａからの突出寸法を、スラブ筋５の配筋ピッチよりも短く設定する場合について説明したが、平坦部９ｂについては図８に示すように、スラブ筋５の配筋ピッチｐよりも長く設定して、隣接する上端筋５ｂに被せるようにしてもよい。このようにすれば、せん断補強を効率よく確保することができる。
【００３６】
また、第２せん断補強領域Ｄにおけるせん断補強筋９の配筋状態についても、図５に示したものに代えて、図９の正面視（ａ）および側面視（ｂ）に示すように、例えばＸ方向の上端筋５ｂおよび下端筋５ｄの間にＹ方向の上端筋５ａおよび下端筋５ｃを交差させた配筋とした場合に、フック部９ｃを、上側に位置する下端筋５ｃに対して下方から係合し、また平坦部９ｂを、下側に位置する上端筋５ａに対して上方から掛けるようにして、Ｘ方向のスラブ筋５と結合することなく、Ｙ方向のスラブ筋５のみに配筋するようにしてもよい。
【図面の簡単な説明】
【００３７】
【図１】本発明にかかるフラットプレートのせん断補強構造の好適な一実施形態を示すフラットプレート架構の平面図である。
【図２】図１に示したフラットプレート架構の側面図である。
【図３】本発明にかかるフラットプレートのせん断補強構造に採用されるせん断補強筋の一例を示す側面図である。
【図４】図１中、Ａ−Ａ線矢視断面図である。
【図５】図１中、Ｂ−Ｂ線矢視断面図である。
【図６】本発明にかかるフラットプレートのせん断補強構造の試験体に対して行った加力試験における荷重と変形との関係を示すグラフ図である。
【図７】本発明にかかるフラットプレートのせん断補強構造の第１せん断補強領域におけるせん断補強筋の配筋状態の変形例を説明する説明図である。
【図８】本発明にかかるフラットプレートのせん断補強構造に採用されるせん断補強筋の変形例を示す側面図である。
【図９】本発明にかかるフラットプレートのせん断補強構造の第２せん断補強領域におけるせん断補強筋の配筋状態の変形例を説明する説明図である。
【符号の説明】
【００３８】
１  スラブ筋
２，３  柱
２ａ，３ａ  柱面
４  フラットプレート
５  高剛性のスラブ筋
５ａ，５ｂ  スラブ筋の上端筋
５ｃ，５ｄ  スラブ筋の下端筋
９  せん断補強筋
９ｂ  平坦部
９ｃ  フック部
Ｃ  第１せん断補強領域
Ｃａ  第１せん断補強領域の境界
Ｄ  第２せん断補強領域
Ｌ  第２せん断補強領域の所定長さ寸法
Ｓ  柱間スパン
Ｔ  フラットプレートの厚さ寸法
Ｗ  第１せん断補強領域の所定幅寸法
【図１】
0004429981.tif 000002
【図２】
0004429981.tif 000003
【図３】
0004429981.tif 000004
【図４】
0004429981.tif 000005
【図５】
0004429981.tif 000006
【図６】
0004429981.tif 000007
【図７】
0004429981.tif 000008
【図８】
0004429981.tif 000009
【図９】
0004429981.tif 000010